【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
スピーカと、
演出表示装置と、
音量を設定することができるボリュームと、
遊技の進行を制御する主制御手段と、
該主制御手段からのコマンドに基づいて演出の進行を制御する演出制御手段と、
前記演出表示装置に表示される画像の指示に対して遊技者が操作することができる演出操作部と、
を備える遊技機であって、
前記ボリュームは、遊技者が操作することができない前記遊技機の後側に配置され、
前記演出制御手段は、少なくとも、
前記ボリュームで設定される音量で演出に関する演出音の音量を調整する演出音音量調整制御手段と、
前記演出表示装置によるデモンストレーションが行われている期間内において、当該演出表示装置に表示される画像の指示に対して前記演出操作部が操作されたことにより該操作に応じて前記演出音音量調整制御手段が調整した前記演出音の音量を変更する演出音音量変更制御手段と、
クリア条件が成立したときに前記演出音音量変更制御手段が変更した前記演出音の音量をリセットする演出音リセット制御手段と、
前記遊技機の不具合の発生と前記遊技機に対する不正行為とを報知するための報知音の音量を前記ボリュームで設定される音量に依存されることなく調整する報知音音量調整制御手段と、
前記演出音の音量を消音設定した後に当該演出音の音量を消音設定する前の音量に復旧設定するとともに、当該演出音の音量を消音設定して復旧設定するまでに亘って当該演出音の進行を継続する演出音進行継続制御手段と、
前記演出音と前記報知音とを前記スピーカから流す制御を実行する音出力実行制御手段と、
を含み、
前記演出音リセット制御手段は、前記クリア条件が成立したときに前記演出音音量変更制御手段が変更した前記演出音の音量を前記演出音音量調整制御手段が前記ボリュームで設定される音量に応じて調整した前記演出音の音量にリセットし、
前記報知音音量調整制御手段は、前記演出音音量調整制御手段が前記ボリュームで設定される音量に応じて前記演出音の音量を小さく調整している状態又は前記演出音音量変更制御手段が前記演出操作部の操作に応じて前記演出音音量調整制御手段が調整した前記演出音の音量を小さく変更している状態であっても、予め定めた期間において、当該演出音の音量と比べて大きい音量に前記報知音の音量を調整し、
前記演出音進行継続制御手段は、前記予め定めた期間において前記演出音の音量を消音設定し、当該予め定めた期間が経過すると、当該演出音の音量を消音設定する前の音量に復旧設定するとともに、当該予め定めた期間に亘って当該演出音の進行を継続することを特徴とする遊技機。
【手続補正２】
【補正対象書類名】明細書
【補正対象項目名】０００８
【補正方法】変更
【補正の内容】
【０００８】
（解決手段１）
スピーカと、演出表示装置と、音量を設定することができるボリュームと、遊技の進行を制御する主制御手段と、該主制御手段からのコマンドに基づいて演出の進行を制御する演出制御手段と、前記演出表示装置に表示される画像の指示に対して遊技者が操作することができる演出操作部と、を備える遊技機であって、前記ボリュームは、遊技者が操作することができない前記遊技機の後側に配置され、前記演出制御手段は、少なくとも、前記ボリュームで設定される音量で演出に関する演出音の音量を調整する演出音音量調整制御手段と、前記演出表示装置によるデモンストレーションが行われている期間内において、当該演出表示装置に表示される画像の指示に対して前記演出操作部が操作されたことにより該操作に応じて前記演出音音量調整制御手段が調整した前記演出音の音量を変更する演出音音量変更制御手段と、クリア条件が成立したときに前記演出音音量変更制御手段が変更した前記演出音の音量をリセットする演出音リセット制御手段と、前記遊技機の不具合の発生と前記遊技機に対する不正行為とを報知するための報知音の音量を前記ボリュームで設定される音量に依存されることなく調整する報知音音量調整制御手段と、前記演出音の音量を消音設定した後に当該演出音の音量を消音設定する前の音量に復旧設定するとともに、当該演出音の音量を消音設定して復旧設定するまでに亘って当該演出音の進行を継続する演出音進行継続制御手段と、前記演出音と前記報知音とを前記スピーカから流す制御を実行する音出力実行制御手段と、を含み、前記演出音リセット制御手段は、前記クリア条件が成立したときに前記演出音音量変更制御手段が変更した前記演出音の音量を前記演出音音量調整制御手段が前記ボリュームで設定される音量に応じて調整した前記演出音の音量にリセットし、前記報知音音量調整制御手段は、前記演出音音量調整制御手段が前記ボリュームで設定される音量に応じて前記演出音の音量を小さく調整している状態又は前記演出音音量変更制御手段が前記演出操作部の操作に応じて前記演出音音量調整制御手段が調整した前記演出音の音量を小さく変更している状態であっても、予め定めた期間において、当該演出音の音量と比べて大きい音量に前記報知音の音量を調整し、前記演出音進行継続制御手段は、前記予め定めた期間において前記演出音の音量を消音設定し、当該予め定めた期間が経過すると、当該演出音の音量を消音設定する前の音量に復旧設定するとともに、当該予め定めた期間に亘って当該演出音の進行を継続することを特徴とする遊技機。
【手続補正３】
【補正対象書類名】明細書
【補正対象項目名】０００９
【補正方法】変更
【補正の内容】
【０００９】
この遊技機では、スピーカ、演出表示装置、ボリューム、主制御手段、演出制御手段、演出操作部を備えている。スピーカは、各種の音を流すことができ、演出表示装置は、画像を表示することができ、ボリュームは、音量を設定することができ、主制御手段は、遊技の進行を制御し、演出制御手段は、主制御手段からのコマンドに基づいて演出の進行を制御している。演出操作部は、演出表示装置に表示される画像の指示に対して遊技者が操作することができる。
【手続補正４】
【補正対象書類名】明細書
【補正対象項目名】００１０
【補正方法】変更
【補正の内容】
【００１０】
演出制御手段は、少なくとも、演出音音量調整制御手段、演出音音量変更制御手段、演出音リセット制御手段、報知音音量調整制御手段、演出音進行継続制御手段、音出力実行制御手段を含んでいる。演出音音量調整制御手段は、ボリュームで設定される音量で演出に関する演出音の音量を調整することができるものであり、演出音音量変更制御手段は、演出表示装置によるデモンストレーションが行われている期間内において、演出表示装置に表示される画像の指示に対して演出操作部が操作されたことによりこの操作に応じて演出音音量調整制御手段が調整した演出音の音量を変更することができるものであり、演出音リセット制御手段は、クリア条件が成立したときに演出音音量変更制御手段が変更した演出音の音量をリセットすることができるものであり、報知音音量調整制御手段は、遊技機の不具合の発生と遊技機に対する不正行為とを報知するための報知音の音量をボリュームで設定される音量に依存されることなく調整することができるものであり、演出音進行継続制御手段は、演出音の音量を消音設定した後に演出音の音量を消音設定する前の音量に復旧設定するとともに、演出音の音量を消音設定して復旧設定するまでに亘って演出音の進行を継続することができるものであり、音出力実行制御手段は、演出音と報知音とをスピーカから流す制御を実行することができるものである。
【手続補正５】
【補正対象書類名】明細書
【補正対象項目名】００１１
【補正方法】変更
【補正の内容】
【００１１】
演出音リセット制御手段は、クリア条件が成立したときに演出音音量変更制御手段が変更した演出音の音量を演出音音量調整制御手段がボリュームで設定される音量に応じて調整した演出音の音量にリセットすることができるようになっている。
報知音音量調整制御手段は、演出音音量調整制御手段がボリュームで設定される音量に応じて演出音の音量を小さく調整している状態又は演出音音量変更制御手段が演出操作部の操作に応じて演出音音量調整制御手段が調整した演出音の音量を小さく変更している状態であっても、予め定めた期間において、この演出音の音量と比べて大きい音量に報知音の音量を調整することができるようになっている。
演出音進行継続制御手段は、予め定めた期間において演出音の音量を消音設定し、予め定めた期間が経過すると、演出音の音量を消音設定する前の音量に復旧設定するとともに、予め定めた期間に亘って演出音の進行を継続することができるようになっている。
【手続補正６】
【補正対象書類名】明細書
【補正対象項目名】００１２
【補正方法】変更
【補正の内容】
【００１２】
このように、演出に関する演出音の音量はボリュームで設定される音量となるように演出音音量調整制御手段により音量調整され、又は演出表示装置によるデモンストレーションが行われている期間内において、演出表示装置に表示される画像の指示に対して演出操作部が操作されたことによりこの操作に応じて演出音音量調整制御手段が調整した演出音の音量は演出音音量変更制御手段により変更されるのに対して、遊技機の不具合の発生や遊技機に対する不正行為を報知するための報知音の音量はボリュームで設定される音量に依存されることなく報知音音量調整制御手段により音量調整されるようになっているため、演出音の音量と報知音の音量とが独立してそれぞれ調整されるようになっている。これにより、演出音音量調整制御手段がボリュームで設定される音量に応じて演出音の音量を小さく調整している状態又は演出音音量変更制御手段が演出操作部の操作に応じて演出音音量調整制御手段が調整した演出音の音量を小さく変更している状態であっても、報知音音量調整制御手段が演出音の音量と比べて大きい音量に報知音の音量を調整することができるようになっているため、音出力実行制御手段が演出音や報知音をスピーカから流す制御を実行することにより報知音が演出音と比べて大きい音量となって遊技者やホールの店員等に届くこととなる。したがって、演出音の音量を小さくしても、報知音によりホールの店員等が不具合の発生や遊技者の不正行為を気付き難くなることを防止することができる。
【手続補正７】
【補正対象書類名】明細書
【補正対象項目名】００１３
【補正方法】変更
【補正の内容】
【００１３】
本実施形態では、例えば、図２５の扉枠ベース本体１１０の前面で遊技窓１０１の下端左右両外側に取り付けられる一対のサイドスピーカ１３０、図２９の右サイド装飾ユニット２００に取り付けられる右上部スピーカ２２２、図３２の左サイド装飾ユニット２４０に取り付けられる左上部スピーカ２６２、及び図７８の基板ユニット８００におけるスピーカボックス８２０に取り付けられる下部スピーカ８２１がスピーカに相当し、図９５の液晶表示装置１９００が演出表示装置に相当し、図１００の音量調整ボリューム４１４０ａがボリュームに相当し、図９７の主制御基板４１００が主制御手段に相当し、図１１７及び図１１８の各種コマンドがコマンドに相当し、図１００の周辺制御基板４１４０が演出制御手段に相当し、図２の操作ユニット４００のダイヤル操作部４０１や押圧操作部４０５が演出操作部に相当し、図１のパチンコ遊技機１が遊技機に相当し、図１４２の周辺制御部電源投入時処理におけるステップＳ１０３２の音データ作成処理が演出音音量調整制御手段、及び報知音音量調整制御手段に相当し、図１４２の周辺制御部電源投入時処理におけるステップＳ１０１８の音データ出力処理が音出力実行制御手段に相当する。
また、本実施形態では、例えば、「なお、本実施形態では、音量調整ボリューム４１４０ａのつまみ部を回動操作することにより音楽や効果音の音量を調節するようになっていることに加えて、図４３に示した、操作ユニット４００のダイヤル操作部４０１や押圧操作部４０５を操作することで設定モードへ移行して音楽や効果音の音量を調節することができるようになっている。パチンコ遊技機１の電源投入後、所定時間内において、操作ユニット４００のダイヤル操作部４０１や押圧操作部４０５を操作すると、設定モードを行うための画面が液晶表示装置１９００に表示されるほかに、客待ち状態となって液晶表示装置１９００によるデモンストレーションが行われている期間内において、操作ユニット４００のダイヤル操作部４０１や押圧操作部４０５を操作すると、設定モードを行うための画面が液晶表示装置１９００に表示されるようになっている。この設定モードの画面に従って操作ユニット４００のダイヤル操作部４０１や押圧操作部４０５を操作することで音楽や効果音の音量を所望の音量に調節することができる。具体的には、音量調整ボリューム４１４０ａのつまみ部の回転位置における抵抗値により分圧された電圧を、周辺制御Ａ／Ｄコンバータ４１５０ａｋがアナログ値からデジタル値に変換して、この変換した値に対して、操作ユニット４００のダイヤル操作部４０１や押圧操作部４０５の操作に応じて所定値を加算又は減算することによって、基板ボリュームの値を増やしたり、又は減らしたりすることができるようになっている。・・・」という記載に基づいて演出音音量変更制御手段が構成され、「また、本実施形態では、パチンコ遊技機１において遊技が行われていない状態が所定時間継続され、客待ち状態となって液晶表示装置１９００によるデモンストレーションが繰り返し行われると（例えば、１０回）、前回、パチンコ遊技機１の前面に着座して遊技を行っていた遊技者が調節した音量がキャンセルされて、音量が初期化されるようになっている。この音量の初期化では、ホールの店員が調節した音量、つまりホールの店員が音量調整ボリューム４１４０ａのつまみ部を直接回動操作して調節した音量となるようになっている。・・・」という記載に基づいて演出音リセット制御手段が構成され、「このように、演出音が本体枠３に設けたスピーカ８２１及び扉枠５に設けたスピーカ１３０，２２２，２６２から流れている場合に、パチンコ遊技機１の不具合の発生やパチンコ遊技機１に対する不正行為をホールの店員等に報知するため報知音が流れるときには、演出音の音量が消音になって報知音が本体枠３に設けたスピーカ８２１及び扉枠５に設けたスピーカ１３０，２２２，２６２から流れるものの、この消音となった演出音は、音生成用スケジュールデータに従って進行しているため、報知音が所定期間経過して本体枠３に設けたスピーカ８２１及び扉枠５に設けたスピーカ１３０，２２２，２６２から流れなくなると、演出音は、報知音が流れ始めたところから再び流れ始めるのではなく、報知音が流れ始めて所定期間経過した時点まで音生成用スケジュールデータに従って進行したところから再び流れ始めるようになっている。」という記載に基づいて演出音進行継続制御手段が構成されている。
【手続補正８】
【補正対象書類名】明細書
【補正対象項目名】０６２０
【補正方法】変更
【補正の内容】
【０６２０】
また、音源内蔵ＶＤＰ４１６０ａは、主制御基板４１００からのコマンドに基づいて周辺制御ＭＰＵ４１５０ａから上述した音指令データが入力されると、液晶及び音制御ＲＯＭ４１６０ｂに記憶されている音楽や効果音等の音データを抽出して内蔵音源を制御することにより、音指令データに規定された、トラック番号に従って音楽及び効果音等の音データをトラックに組み込むとともに、出力チャンネル番号に従って使用する出力チャンネルを設定して本体枠３に設けたスピーカ８２１及び扉枠５に設けたスピーカ１３０，２２２，２６２から流れる音楽や効果音等をシリアル化してオーディオデータとしてオーディオデータ送信ＩＣ４１６０ｃに出力する。なお、音指令データには、音データを組み込むトラックの音量を調節するためのサブボリューム値も含まれており、音源内蔵ＶＤＰ４１６０ａの内蔵音源における複数のトラックには、音楽や効果音等の演出音の音データとその音量を調節するサブボリューム値のほかに、パチンコ遊技機１の不具合の発生やパチンコ遊技機１に対する不正行為をホールの店員等に報知するための報知音の音データとその音量を調節するサブボリューム値が組み込まれる。具体的には、演出音に対しては、上述した、音量調整ボリューム４１４０ａのつまみ部が回動操作されて調節された基板ボリュームがサブボリューム値として設定され、報知音に対しては、音量調整ボリューム４１４０ａのつまみ部の回動操作に基づく音量調整に全く依存されず最大音量がサブボリューム値として設定されるようになっている。演出音のサブボリューム値は、図４３に示した、操作ユニット４００のダイヤル操作部４０１や押圧操作部４０５を操作することで後述する設定モードへ移行して調節することができるようになっている。また、音指定データには、出力するチャンネルの音量を調節するためのマスターボリューム値も含まれており、音源内蔵ＶＤＰ４１６０ａの内蔵音源における複数の出力チャンネルには、音源内蔵ＶＤＰ４１６０ａの内蔵音源における複数のトラックうち、使用するトラックに組み込まれた演出音の音データと、使用するトラックに組み込まれた演出音の音量を調節するサブボリューム値と、を合成して、この合成した演出音の音量を、実際に、本体枠３に設けたスピーカ８２１及び扉枠５に設けたスピーカ１３０，２２２，２６２から流れる音量となるマスターボリューム値まで増幅し、この増幅した演出音をシリアル化してオーディオデータとしてオーディオデータ送信ＩＣ４１６０ｃに出力するようになっている。本実施形態では、マスターボリューム値は一定値に設定されており、合成した演出音の音量が最大音量であるときに、マスターボリューム値まで増幅されることにより、本体枠３に設けたスピーカ８２１及び扉枠５に設けたスピーカ１３０，２２２，２６２から流れる音量が許容最大音量となるように設定されている。具体的には、演出音に対しては、複数のトラックのうち、使用するトラックに組み込まれた演出音の音データと、使用するトラックに組み込まれた演出音の音量を調節するサブボリューム値として設定された音量調整ボリューム４１４０ａのつまみ部が回動操作されて調節された基板ボリュームと、を合成して、この合成した演出音の音量を、実際に、本体枠３に設けたスピーカ８２１及び扉枠５に設けたスピーカ１３０，２２２，２６２から流れる音量となるマスターボリューム値まで増幅し、この増幅した演出音をシリアル化してオーディオデータとしてオーディオデータ送信ＩＣ４１６０ｃに出力し、報知音に対しては、使用するトラックに組み込まれた報知音の音データと、使用するトラックに組み込まれた報知音の音量を調節するサブボリューム値として設定された音量調整ボリューム４１４０ａのつまみ部の回動操作に基づく音量調整に全く依存されず最大音量と、を合成して、この合成した報知音の音量を、実際に、本体枠３に設けたスピーカ８２１及び扉枠５に設けたスピーカ１３０，２２２，２６２から流れる音量となるマスターボリューム値まで増幅し、この増幅した報知音をシリアル化してオーディオデータとしてオーディオデータ送信ＩＣ４１６０ｃに出力する。ここで、演出音が本体枠３に設けたスピーカ８２１及び扉枠５に設けたスピーカ１３０，２２２，２６２から流れている場合に、パチンコ遊技機１の不具合の発生やパチンコ遊技機１に対する不正行為をホールの店員等に報知するため報知音を流す制御について簡単に説明すると、まず演出音が組み込まれているトラックのサブボリューム値を強制的に消音に設定し、この演出音が組み込まれたトラックの音データと、その消音に設定したサブボリューム値と、報知音が組み込まれたトラックの音データと、報知音の音量が最大音量に設定されたサブボリューム値と、を合成し、この合成した演出音の音量と報知音の音量とを、実際に、本体枠３に設けたスピーカ８２１及び扉枠５に設けたスピーカ１３０，２２２，２６２から流れる音量となるマスターボリューム値まで増幅し、この増幅した演出音及び報知音をシリアル化してオーディオデータとしてオーディオデータ送信ＩＣ４１６０ｃに出力する。つまり、実際に、本体枠３に設けたスピーカ８２１及び扉枠５に設けたスピーカ１３０，２２２，２６２から流れる音は、最大音量の報知音だけが流れることとなる。このとき、演出音は消音となっているため、本体枠３に設けたスピーカ８２１及び扉枠５に設けたスピーカ１３０，２２２，２６２から流れないものの、演出音は、上述した音生成用スケジュールデータに従って進行している。本実施形態では、報知音は所定期間（例えば、９０秒）だけ本体枠３に設けたスピーカ８２１及び扉枠５に設けたスピーカ１３０，２２２，２６２から流れとなるようになっており、この所定期間経過すると、これまで消音に強制的に設定された音生成用スケジュールデータに従って進行している演出音の音量が、音量調整ボリューム４１４０ａのつまみ部が回動操作されて調節された基板ボリュームがサブボリューム値として再び設定され（このとき、操作ユニット４００のダイヤル操作部４０１や押圧操作部４０５を操作することで設定モードへ移行して調節されている場合には、その調節された演出音のサブボリューム値に設定され）、本体枠３に設けたスピーカ８２１及び扉枠５に設けたスピーカ１３０，２２２，２６２から流れるようになっている。このように、演出音が本体枠３に設けたスピーカ８２１及び扉枠５に設けたスピーカ１３０，２２２，２６２から流れている場合に、パチンコ遊技機１の不具合の発生やパチンコ遊技機１に対する不正行為をホールの店員等に報知するため報知音が流れるときには、演出音の音量が消音になって報知音が本体枠３に設けたスピーカ８２１及び扉枠５に設けたスピーカ１３０，２２２，２６２から流れるものの、この消音となった演出音は、音生成用スケジュールデータに従って進行しているため、報知音が所定期間経過して本体枠３に設けたスピーカ８２１及び扉枠５に設けたスピーカ１３０，２２２，２６２から流れなくなると、演出音は、報知音が流れ始めたところから再び流れ始めるのではなく、報知音が流れ始めて所定期間経過した時点まで音生成用スケジュールデータに従って進行したところから再び流れ始めるようになっている。
【手続補正９】
【補正対象書類名】明細書
【補正対象項目名】０６２９
【補正方法】変更
【補正の内容】
【０６２９】
なお、本実施形態では、音量調整ボリューム４１４０ａのつまみ部を回動操作することにより音楽や効果音の音量を調節するようになっていることに加えて、図４３に示した、操作ユニット４００のダイヤル操作部４０１や押圧操作部４０５を操作することで設定モードへ移行して音楽や効果音の音量を調節することができるようになっている。パチンコ遊技機１の電源投入後、所定時間内において、操作ユニット４００のダイヤル操作部４０１や押圧操作部４０５を操作すると、設定モードを行うための画面が液晶表示装置１９００に表示されるほかに、客待ち状態となって液晶表示装置１９００によるデモンストレーションが行われている期間内において、操作ユニット４００のダイヤル操作部４０１や押圧操作部４０５を操作すると、設定モードを行うための画面が液晶表示装置１９００に表示されるようになっている。この設定モードの画面に従って操作ユニット４００のダイヤル操作部４０１や押圧操作部４０５を操作することで音楽や効果音の音量を所望の音量に調節することができる。具体的には、音量調整ボリューム４１４０ａのつまみ部の回転位置における抵抗値により分圧された電圧を、周辺制御Ａ／Ｄコンバータ４１５０ａｋがアナログ値からデジタル値に変換して、この変換した値に対して、操作ユニット４００のダイヤル操作部４０１や押圧操作部４０５の操作に応じて所定値を加算又は減算することによって、基板ボリュームの値を増やしたり、又は減らしたりすることができるようになっている。この調節された音量は、音源内蔵ＶＤＰ４１６０ａの内蔵音源における複数のトラックのうち、音楽や効果音等の演出音の音データが組み込まれたトラックに対して、サブボリューム値として設定更新されて演出音の音量の調節に反映されるものの、上述した報知音や告知音の音量に調節に反映されないようになっている。
【手続補正１０】
【補正対象書類名】明細書
【補正対象項目名】０６３１
【補正方法】変更
【補正の内容】
【０６３１】
また、本実施形態では、パチンコ遊技機１において遊技が行われていない状態が所定時間継続され、客待ち状態となって液晶表示装置１９００によるデモンストレーションが繰り返し行われると（例えば、１０回）、前回、パチンコ遊技機１の前面に着座して遊技を行っていた遊技者が調節した音量がキャンセルされて、音量が初期化されるようになっている。この音量の初期化では、ホールの店員が調節した音量、つまりホールの店員が音量調整ボリューム４１４０ａのつまみ部を直接回動操作して調節した音量となるようになっている。これにより、前回、パチンコ遊技機１の前面に着座して遊技を行っていた遊技者が調節した音量を小さく感じて音楽や効果音を聞き取り難い場合には、今回、パチンコ遊技機１の前面に着座して遊技を行う遊技者が操作ユニット４００のダイヤル操作部４０１や押圧操作部４０５を操作して所望の音量まで大きくすることができるし、前回、パチンコ遊技機１の前面に着座して遊技を行っていた遊技者が調節した音量を大きく感じて音楽や効果音をうるさく感じる場合には、今回、パチンコ遊技機１の前面に着座して遊技を行う遊技者が操作ユニット４００のダイヤル操作部４０１や押圧操作部４０５を操作して所望の音量まで小さくすることができる。
【手続補正１１】
【補正対象書類名】明細書
【補正対象項目名】１１６１
【補正方法】変更
【補正の内容】
【１１６１】
１…パチンコ遊技機（遊技機）、２…外枠、３…本体枠、４…遊技盤、５…扉枠、１３０…サイドスピーカ（スピーカ）、２２２…右上部スピーカ（スピーカ）、２６２…左上部スピーカ（スピーカ）、８２１…下部スピーカ（スピーカ）、４００…操作ユニット、４０１…ダイヤル操作部（演出操作部）、４０５…押圧操作部（演出操作部）、１１００…遊技領域、１９００…液晶表示装置（演出表示装置）、２１０１…上始動口、２１０２…下始動口、４１００…主制御基板（主制御手段）、４１００ａ…主制御ＭＰＵ、４１１０…払出制御基板、４１１０ｂ…停電監視回路、４１４０…周辺制御基板（演出制御手段）、４１４０ａ…音量調整ボリューム（ボリューム）、４１５０…周辺制御部、４１５０ｃ…周辺制御ＲＡＭ、４１６０…液晶及び音制御部、４１６０ａ…音源内蔵ＶＤＰ、４１７０…ランプ駆動基板、４１８０…モータ駆動基板。